(57)【要約】【課題】進行中の測定値に応答して検出器回路のパラメータをリアルタイムで設定し、かつ変更する蛍光Ｘ線分析方法及び装置の提供。【解決手段】サンプルの元素組成及び／又はエネルギ分解能条件に従って、Ｘ線検出器１１４のシェーピング時間及び／又は他のパルス処理パラメータを適合させる方法及び装置。Ｘ線１０４はＸ線源１０２からサンプル１１０に向けられ、これに応答してサンプルから放出される放射線（例えば、元素組成の特徴を有する蛍光発光した放射線）１０８が、入射放射線のエネルギ及び強度を示すパルスを発生するＸ線検出器１１４により検出される。元素組成の最初の分析に基づいて、シェーピング時間及び／又は他のパルス処理パラメータが、対象とするスペクトル領域内のエネルギ分解能の拘束を受けるカウント速度を最適化すべく設定される。【選択図】図５
2012508379.tif 000002
【特許請求の範囲】
【請求項１】
ａ.サンプルにＸ線を照射するステップと、
ｂ.照射に応答してサンプルにより蛍光発光されたＸ線を検出し、これにより検出器信号パルスを発生するステップと、
ｃ.前記検出器信号パルスを前置増幅するステップと、
ｄ.パルス処理パラメータに従って前記検出器信号パルスを処理するステップと、
ｅ.サンプル組成の分析に基づいてエネルギ分解能条件を決定するステップと、
ｆ.エネルギ分解能条件に基づいて、少なくとも１つの前記パルス処理パラメータを設定するステップと、
を有することを特徴とするサンプルの元素組成を分析する方法。
【請求項２】
前記少なくとも１つのパルス処理パラメータは、検出器のシェーピング時間を有していることを特徴とする請求項１記載の方法。
【請求項３】
ａ.サンプルを照射するＸ線源と、
ｂ. 照射に応答してサンプルにより蛍光発光されたＸ線を検出し、これにより検出器信号パルスを発生する検出器と、
ｃ.前記検出器信号パルスを前置増幅する前置増幅器と、
ｄ.前記検出器信号パルスを処理する信号プロセッサと、
ｅ.処理パラメータを制御するコントローラと、
ｆ.前記サンプルの組成に従ってパルス処理パラメータを変えるために、前記コントローラと少なくとも１つの前記信号プロセッサと前記前置増幅器との間の信号経路と、
を有することを特徴とするサンプルの元素組成を分析する蛍光Ｘ線分析器械。
【請求項４】
前記信号プロセッサは、デジタル信号プロセッサを含むことを特徴とする請求項３記載の蛍光Ｘ線分析器械。
【請求項５】
前記Ｘ線源はＸ線管であることを特徴とする請求項３記載の蛍光Ｘ線分析器械。
【請求項６】
前記パルス処理パラメータは、検出器シェーピング時間であることを特徴とする請求項３記載の蛍光Ｘ線分析器械。
【発明の詳細な説明】
【技術分野】
【０００１】
本願は、２００８年１１月４日付米国仮特許出願第６１／１１１，２５２号の優先権を主張する。尚、該米国仮特許出願は本願に援用する。
【０００２】
本発明は、エネルギ分解能条件に基づいて検出器回路のパラメータをリアルタイムで設定しかつ変更（modifying）する方法及び装置に関し、より詳しくは、進行中の測定値に応答して検出器回路のパラメータを設定しかつ変更する方法及び装置に関する。
【背景技術】
【０００３】
本発明は、検出した粒子（以下に説明する文脈では、一般にＸ線光子）のエネルギを検出器パルスの持続中に収集される電荷から推定する構成の広範囲の等級の放射線検出器に適用できる。Ｘ線シンチレーション検出器でシンチレーションエミッションを検出する光電子増倍管で作られる電子の数は、本発明が有利に適用される検出器の等級に関する一例があるに過ぎない。この等級の検出器では、パルス振幅のプロットの下の面積が時間の関数として使用され、検出した粒子のエネルギを決定するのに使用される。このような放射線検出器では、それぞれのパルスの下の積分面積を推定する目的でパルスを別々にかつ明白に処理することが重要である。後続パルスは先行パルスのテール上に積み重なり、先行パルスのテールの残留振幅は連続パルスの積分面積によるものである。
【０００４】
したがって、パルステールを短縮すると同時にパルスの積分面積を維持することにより、検出器パルスを「シェーピング」することは、エネルギ分解検出器の用途で長い間実用されている。これは、一般に、記憶されたソフトウェアの命令を実行するデジタル信号プロセッサ（ＤＳＰ）を備えたパルスプロセッサの作動により行われている。パルスプロセッサの出力は、計算のために用いられた種々のパルス処理パラメータの値により影響を受け、この値は、ＤＳＰのメモリ又はＤＳＰに関連するメモリに予め記憶させておくことができる。このようなパルス処理パラメータの１つに、パルスシェーピング時間がある。パルスシェーピング時間及びパルス処理パラメータの選択に関する検討が、下記非特許文献１において述べられている。尚、この非特許文献１の開示は本願に援用する。
【０００５】
サンプルの元素的かつ化学的組成を決定するのに、サンプルから蛍光発光したＸ線のエネルギスペクトルが長年使用されている。蛍光Ｘ線分析（X-ray fluorescence：ＸＲＦ）技術の適用は極めて広範囲に亘り、例えば、合金の選別、土壌の分析、塗装壁の鉛濃度の決定、日用品中の毒性要素の量の測定及び電気めっきの厚さ及び組成の決定がある。サーモ・サイエンティフィック・ニトンＸＲＦ器械（Thermo Scientific Niton XRF）のような手持ち型ＸＲＦ器械が多くのユーザによく購入されている。その上、各特定用途については、一般に、サンプルを最も有効に蛍光発光させる最適Ｘ線エネルギスペクトルがある。サンプルに入射する励起ビームの最大エネルギ及び濾過を変更することにより最適スペクトルを発生させることは標準的手法である。Ｘ線放出源は、Ｘ線管で形成するか、放射性源のような他のＸ線源で形成できる。例えば、金属合金は、土壌の研究に使用されるものとは全く異なるＸ線スペクトルパラメータを用いて分析される。また、合金又は土壌の単一試験として、サンプル中の広範囲の元素を最も有効に分析するための、高電圧及び／又は濾過の予めプログラムされた連続変化がある。また、Ｘ線ビームの強度を自動的に調節して、所与の試験時間中に収集されるＸ線の数を最大化するのも標準的手法である。
【０００６】
係属中のダガス（Dugas）の米国特許出願第１２／４２６，０２２号明細書（出願人Dugas、名称「自動化された蛍光Ｘ線分析（Automated X-Ray Fluorescence Analysis）」）（特許文献１）（該特許文献１の全開示は本願に援用する）には、測定されるサンプルの種類についての予備知識をユーザが必要としないで済むようにするには、目標に入射するＸ線エネルギスペクトルの最適形状を如何に選択するかが開示されている。しかしながら、この特許文献１に開示の方法は、目標から検出されたＸ線のスペクトルを処理するものではない。
【０００７】
本願に援用する係属中のカミュ（Camus）等の米国特許出願第１２／１４２，７３７号明細書（特許文献２）には、検出器のシェーピング時間中の多数の検出事象が暗示されている。これは、分解能条件に応答するシェーピング時間の動的変化を処理するものではない。
【先行技術文献】
【特許文献】
【０００８】
【特許文献１】米国特許出願第１２／４２６，０２２号明細書
【特許文献２】米国特許出願第１２／１４２，７３７号明細書
【非特許文献】
【０００９】
【非特許文献１】Knoll著「放射線及び検出（Radiation and Detection）」（第３版、John Wiley and Sons社、２０００年）
【非特許文献２】Niemela等著「軟Ｘ線用ＣｄＺｎＴｅ検出器の評価（Evaluation of CdZnTe detectors for soft-XRay applications）」（IEEE Transactions on Nuclear Science、vol.４１、第１０５４〜１０５７頁、１９９４年）
【発明の概要】
【課題を解決するための手段】
【００１０】
本発明の実施形態によれば、サンプルの元素組成を分析する方法が提供される。この方法は、下記の段階すなわち、
ａ.サンプルにＸ線を照射するステップと、
ｂ.照射に応答してサンプルにより蛍光発光されたＸ線を検出し、これにより検出器信号パルスを発生するステップと、
ｃ.検出器信号パルスを前置増幅するステップと、
ｄ.パルス処理パラメータに従って検出器信号パルスを処理するステップと、
ｅ.サンプル組成の分析にもとづいてエネルギ分解能条件を決定するステップと、
ｆ.エネルギ分解能条件に基づいて、少なくとも１つのパルス処理パラメータを設定するステップとを有している。
【００１１】
本発明の他の実施形態によれば、パルス処理パラメータには、検出器シェーピング時間を含めることができる。
【００１２】
本発明の他の態様によれば、サンプルの元素組成を分析する蛍光Ｘ線分析器械が提供される。この蛍光Ｘ線分析器械は、サンプルを照射するＸ線源と、照射に応答してサンプルにより蛍光発光されたＸ線を検出し、これにより検出器信号パルスを発生する検出器とを有している。蛍光Ｘ線分析器械はまた、検出器信号パルスを前置増幅する前置増幅器と、検出器信号パルスを処理する信号プロセッサと、プロセシングパラメータを制御するコントローラとを有している。最後に、サンプルの組成に従ってパルス処理パラメータを変えるために、信号経路が、コントローラと、少なくとも１つの信号プロセッサと、前置増幅器との間に設けられている。
【００１３】
本発明の更に別の実施形態では、信号プロセッサはデジタル信号プロセッサからなり、
Ｘ線源はＸ線管で形成できる。パルス処理パラメータは、検出器シェーピング時間であるのがよい。
本発明の上記特徴は、添付図面を参照して述べる以下の詳細な説明から一層容易に理解されるであろう。
【図面の簡単な説明】
【００１４】
【図１】本発明が有利に適用される種類のＸＲＦ器械を示す概略図である。
【図２】５．９ｋｅＶで測定した分解能の関数としてプロットした１ｋｅＶから１２ｋｅＶまで変化するエネルギの関数としてのシリコンドリフト検出ダイオードの期待分解能をプロットしたグラフである。
【図３】オルテック（Ortec）によるオンラインチュートリアルからの複製であり、縦軸上に指数関数としてプロットしたスループットカウント速度と、それぞれの各曲線の下に示したパルスシェーピング時間との間の実験的関係を示すものである。
【図４】ＣｄＺｎＴｅ半導体検出器の分解能に与えるシェーピング時間及び検出器温度の効果をプロットしたグラフである。
【図５】本発明の一実施形態による検出器の電子装置のシェーピング時間の動的変更を示すフローチャートである。
【発明を実施するための形態】
【００１５】
ニトンＸＲＦ検出器のサーモ・サイエンティフィックラインのようなポータブルＸＲＦ器械が、周期律表の殆どに亘る元素を含有する物質の元素組成の測定を必要とする広範囲の用途に使用されている。種々の目標物質から蛍光発光されたＸ線スペクトルは、複雑さ及び強度が変化する。或る用途は、適正な分析を行うのに最高のエネルギ分解能を必要とし、一方、他の用途は適度のエネルギ分解能を許容できるが、最短の測定時間すなわち最高のカウント速度を必要とする。
【００１６】
本発明の好ましい実施形態によれば、蛍光発光された信号のパルスプロセッサのパラメータは、好ましくは測定中に有利に変更され、これによりエネルギ分解能及びカウント速度に関する各用途の分析が最適化される。パルスプロセッサパラメータ（検出器パラメータとも呼ぶ）は、制限なく、検出した放射線に応答して、時宜を得てパルスプロセッサの信号出力の形状に寄与するあらゆるパラメータを含む。このようなパラメータとして、シェーピング時間又は有効減衰時間があるが、より複雑な濾過パラメータを含めることもでき、例えば検出器の回路内で実施して、前置増幅器及びパルスプロセッサを含めることができる。
【００１７】
本発明の実施形態は、信号のシェーピング時間に関し、検出器のエネルギ分解能及び検出器の最大カウント速度の両方に強く依存するという長所を有している。最小エネルギ分解能は長いシェーピング時間で到達され、一方、最大カウント速度は短いシェーピング時間で到達される。
【００１８】
本願で使用される用語「エネルギ分解能」とは、器械制限型スペクトル特徴（instrument-limited spectral feature）の半波高全幅値（full width at half maximum：ＦＷＨＭ）のような達成可能な分解能の測定値、又は「スパローの基準（Sparrow criterion）」を満たすのに必要な２つの特徴（２つの特徴は充分に分離され、２つの特徴の間に第１及び第２のゼロ派生物のサドルが２つの特徴の間に現れる）の分離 をいう。上記いずれのエネルギ分解能基準も一例として機能するが、本願で使用されるとき、ラインの区別する目的では小さいエネルギ分解能の方がよい。蛍光Ｘ線分光学では、検出器の測定値として５．９ｋｅＶでのＦＷＨＭ（マンガンのＫαライン）が慣用的に受入れられており、したがって本願の説明で使用される。
【００１９】
パルスシェーピング時間は、一般にソフトウェアアルゴリズムにより制御される。パルスシェーピング時間は、ユーザが遭遇する各用途及び各種の物質についてプログラムされる。未知のサンプルが分析される場合には、分析に使用される後のデータの最適パルスシェーピング時間を決定するのに、分析サイクルの早期に獲得されたデータのリアルタイム分析が使用される。本発明の方法は、シリコンドリフト検出器を用いる手持ち型ＸＲＦ器械の範疇で制限なく説明するが、本発明の範囲は他の多くの形式のパルスカウント器械での使用にも及ぶことを理解されたい。
【００２０】
図１において全体を参照番号１００で示す手持ち型ＸＲＦ器械に関連して、本発明の好ましい方法を一般性を損なうことなく説明する。ＸＲＦ器械１００は、蛍光放射線１０４のＸ線管源１０２と、蛍光Ｘ線１０８を検出するためのシリコンドリフト検出ダイオード（silicon drift detector diode：ＳＤＤ）とを有している。蛍光Ｘ線１０８を発生させる元素の原子は、参照番号１１０で概略的に示されている。ＳＤＤは、そのスループットを、長パルスシェーピング時間の場合の１秒間につき２５，０００の信号から、短パルスシェーピング時間の場合の１秒間につき１００、０００より多くの信号まで変えることができるため、本発明の適用にとって好ましい検出器である。パルスシェーピング時間を短縮する代償、したがって１秒間当たりの検出回数を増大する代償は、検出器のスペクトル分解能の低下である。多くの用途にとってこの取引（trade）は量的に正当化されるものである。改善された検出器の分解能から得られる信号／ノイズ比が低いピークカウント速度による信号強度の損失を相殺する或る用途では、逆の取引も正当化される。
【００２１】
所与の時間内に検出できる元素の最低濃度は、当該元素からの信号の強度及び該信号下での信号／ノイズ比により大部分が決定される。本発明の実施形態は、これらの２つの量が、上記特許文献１に開示されている蛍光Ｘ線スペクトルの機能をするだけでなく、検出した信号を変更しかつ制御する電子的に調節できるパラメータとしても機能するという事実を使用するものである。
【００２２】
本発明の好ましい実施形態によれば、デジタル信号プロセッサ（ＤＳＰ）１１２のパラメータ、より詳しくはパルスシェーピング時間が変更される。ここで、ＤＳＰパラメータは、検出器の分解能及び検出器のカウント速度を少なくとも部分的に決定し、所与の試験時間内でサンプルの最も正確な分析を得る。ＸＲＦ器械が試験することを期待している各種サンプルについて、最適パルスシェーピングパラメータを予めプログラムしておくことができる。サンプルの種類が未知であるか、オペレータが数種のサンプルの混合物を検査しているときは、特許文献１に開示された分析方法を用いて、試験の最初の数秒中に収集したデータから決定できる。パルスシェーピング時間は、好ましい実施形態ではＤＳＰ１１２のパラメータにより決定されるが、検出器の前置増幅器１１４内の回路コンポーネンツの値をプログラムすることにより、パルスシェーピング時間又は他のパルスシェーピングパラメータの変更を達成できることは理解されよう。また、本発明の範囲にしたがって、パルスシェーピングパラメータはＲＣ時間に制限されるものではなく、実際に、パルスの上昇縁及び下降縁に適用される時定数は必ずしも同じではないこと、及びパルスのシェーピングにより高い及びオーダの有効フィルタを適用できることも理解されよう。
【００２３】
本発明の実施形態によれば、検出したパルスのパルスシェーピング時間は、試験下のサンプルの種類に基づいて変更でき、かつこの変更まで蓄積されるデータのオンライン分析に基づいて測定中に変更することもできる。パルスシェーピングの調節は、一般に、入射する蛍光Ｘ線ビームの形状の調節に加えて行われる。オペレータがサンプルの種類を知っているときは、サンプルの種類はメニュースクリーン上に表示されたオプションのリストから選択され、これにより、Ｘ線スペクトル及びパルス形状に対して予めプログラムされた変化が実施される。サンプルが知られていないとき又は種々のサンプルを迅速に試験しかつ類別する必要があるときは、蓄積されたスペクトルを使用して、適当なパラメータを自動的に選択して最も正確な結果を得る。
【００２４】
半導体検出器は熱ノイズを無視できるようにする低温で作動されるのが好ましいが、この理想は手持ち型ＸＲＦ器械では実際的でない。ポータブルＸＲＦ器械は、熱電ペルチェ冷却器を用いて検出器及び第１前置増幅器のコンポーネンツを冷却する。しかしながら、ペルチェ冷却器の有利なサイズ、重量及びプログラミングの容易性は、冷却器の効率が低いことで相殺されてしまう。
【００２５】
ここで図１に戻って説明すると、Ｘ線源１０２はＸ線管が好ましくかつ検出器１０６はＳＤＤが好ましいが、本発明の範囲内で他のＸ線源及び検出器に置換できる。Ｘ線管１０２は管電圧ＨＶ及び電子ビーム電流Ｉで作動しかつＸ線ビーム１０４を発生する。このＸ線ビーム１０４は、元素の原子１１０により概略的に示す目標に衝突する前にフィルタを通る。蛍光Ｘ線１０８はＳＤＤ１０６で検出される。検出器からの個々の信号は、ＳＤＤ内に堆積した電荷にしたがって類別される。検出した元素の特性ラインは、平均エネルギ及び半波高全幅値（ＦＷＨＭ）により特定されたガウス形状を有している。５．９ｋｅＶでのＦＷＨＭは、検出器自体の分解能の測定値として一般に受入れられている。低エネルギ及び高エネルギでの検出器の分解能は、５．９ｋｅＶ（マンガンのＫαライン）での分解能の測定値、及び特定形式の検出器の固有分解能の知識から計算できる。ＳＤＤ検出器のノイズのない（固有）分解能は約１１０ｅＶである。これは、５．９ｋｅＶのＸ線の検出から収集された電子及び孔の数の統計的変化のみによる分解能である。実際の分解能は、５．９ｋｅＶでの固有分解能及びノイズ寄与の求積法（in quadrature）による合計により決定される。
【００２６】
図２は、５．９ｋｅＶで測定した分解能の関数として１ｋｅＶから１２ｋｅＶまで変化するエネルギでのＸ線についてのＳＤＤの期待分解能を示すグラフである。この範疇では２つの様相に注目すべきである。
【００２７】
第１に、図２にプロットされたグラフは、５．９ｋｅＶでの分解能を改善することにより、低エネルギＸ線（ここでは、３ｋｅＶ以下のエネルギでのＸ線をいう）の分解能が改善されることを示している。例えば、ＳＤＤが５．９ｋｅＶで１８０ｅＶの分解能を有する場合には、１ｋｅＶでの分解能（マグネシウムのＫαライン）は約１５０ｅＶになると期待され、これは１７％の改善である。しかしながら、ＳＤＤが１５５ｅＶの分解能を達成できるならば、１ｋｅＶでの分解能が１２０ｅＶに改善され、これは３３％の改善である。この改善された分解能は、しばしば軽量元素の特性ＫＸ線ライン、中量元素からのＬライン及び重量元素からのＭラインで混み合うＸ線スペクトルの低エネルギ領域で特に重要であることに留意すべきである。かくして、低エネルギ領域が対象とするスペクトル領域である場合には、長いシェーピング時間、したがって大きいスペクトル分解能がコントローラ１１６により設定される。
【００２８】
第２に、図２は、５．９ｋｅＶでの検出器の分解能がそれぞれ減少又は拡大されると、これとともにスペクトルの全てのピークの幅が幅狭又は幅広になることを示している。これらの変化は、元素の濃度の量的結果を作る分析プログラムを考慮に入れなくてはならない。一方、アカウンティングは些細なことではないが迅速に行われる。なぜならば、特徴のあるＸ線のエネルギ分解能はそのエネルギの予め決定された機能だからである。
【００２９】
図３は、オルテック（Ortec）によるオンラインチュートリアルからの複製であり、縦軸上に指数関数としてプロットしたスループットカウント速度と、それぞれの各曲線の下に示したパルスシェーピング時間との間の実験的関係を示すものである。パルス増幅器からのカウント速度は、０．５μsから１０μsの範囲のシェーピング時間について増幅器へのパルスのカウント速度の関数としてプロットされている。このグラフはＳＤＤではなくゲルマニウム検出器に特有のものであるが、パルスの電子的に発生した形状が分析可能な最大カウント速度を決定する点（位置）を良く示している。シェーピング時間が１０μｓであるとき、最大スループットは、約１０，０００カウント／秒の入力カウント速度で達成される約５，０００カウント／秒に過ぎない。シェーピング時間が１μsに短縮されるときは、スループットは５０，０００カウント／秒に増大される。
【００３０】
本発明は、下記の仕様を有するＳＤＤ検出器を用いて実施される。すなわち、４μｓのパルスシェーピング時間で、最大スループットが約５０，０００カウント／秒でありかつ検出器の分解能が１５５ｅＶである。パルスシェーピング時間が１μｓに短縮されると、短縮されるシェーピング時間にともなってノイズレベルが増大する結果として、最大速度は１６０，０００カウント／秒に上昇しかつ検出器の分解能は１７５ｅＶに悪化する。シェーピング時間の短縮により、各特性ラインにおけるカウントが４倍増大される。隔絶された高エネルギピークの信号対ノイズの比は殆ど不変に維持され、これにより元素の最小検出レベルが約２倍改善される。
【００３１】
図４は、本願に援用する上記非特許文献２の開示からの複製であり、Ｘ線のＣｄＺｎＴｅ半導体検出器の分解能に与えるシェーピング時間及び検出器温度の効果を示すグラフである。ＳＤＤ検出器のデータは図４のデータとは異なっているが、全体的現象は同じである。検出器の温度が非常に低く、このため熱ノイズが些細（図４の-４０℃曲線）であるときは、５．９ｋｅＶのＸ線の分解能が改善され、シェーピング時間が増大するので、約６μｓのシェーピング時間で２５０ｅＶの最小値に到達する。検出器の温度が上昇すると最高分解能が悪化し、-３０℃で２９０ｅＶ及び２０℃で３２０ｅＶとなる。-３５℃で作動する本発明のＳＤＤ検出器では、１μｓのシェーピング時間で〜１７５ｅＶ、４μｓのシェーピング時間で１６０ｅＶである。検出器を-４５℃に冷却すると、両分解能時間が約１０ｅＶだけ低下する。
【００３２】
本発明の実施形態は、特定サンプルのパルスシェーピング時間を最適化することにより、ＸＲＦ分析器の改善された性能を提供する。ここで図５のフローチャートを参照すると、サンプルマトリックスの先験的知識を利用できる場合には、オペレータは、候補サンプルの種類のリストからサンプル種類を選択（例えば、タッチスクリーンインターフェースを用いて選択）し、次にサンプルは、ステップ５１に示すように、選択したサンプル種類に対応するパルスシェーピング時間情報のような１つ以上の予め記憶されたプロセシングパラメータにしたがって分析される。サンプルの先験的知識を利用できない場合には、最初に欠如値（ステップ５２）に設定されたパルスシェーピング時間は、分析サイクルにおいて早期に獲得されかつ処理されたデータに基づいて、分析サイクル中に適応可能に調節される。より詳しくは、例えば図１のＸ線源１０２により発生されたＸ線のビームをサンプルに照射して、サンプル中の原子により、特徴のある蛍光Ｘ線を放出させる（ステップ５３）。検出器は蛍光Ｘ線を受け、これに応答してＸ線のエネルギ及び強度を表わすパルスを作る（ステップ５４）。検出器により作られるパルスは、ステップ５１又は５２で設定されたパルス処理パラメータ（パルスプロセシングパラメータ）にしたがってシェーピングされる。処理されたパルスはコントローラに搬送され、該コントローラは、蓄積されたパルスを分析して検出したＸ線のエネルギスペクトルを発生させる。処理されたパルスの分析及びエネルギスペクトルの発生はリアルタイムで生じる。すなわち、照射ステップ及び検出ステップと実質的に同時に生じる。エネルギスペクトルデータが蓄積されると、コントローラはデータを分析して、スペクトルの成分が、目標とする性能基準、例えばエネルギ分解能又はカウント速度を満たすか否かを決定する（ステップ５５）。目標とする性能基準が満たされないことをコントローラが決定した場合には、満足できる性能を達成すべくパルス処理パラメータが調節される。例えば、エネルギ分解能を改善すべく、検出器パルスに適用されるパルスシェーピング時間を増大できる（ステップ５６）。次に、照射、検出及びスペクトルの獲得からなる分析サイクルが、記憶された命令にしたがって、調節されたパルス処理パラメータで連続される（ステップ５７）。調節されたパルス処理パラメータから生じる検出器の変化されたエネルギ分解能及び検出器のエネルギキャリブレーションは、データのリアルタイム分析の要因とならなくてはならない。調節アルゴリズムはＤＳＰ内にプログラムされる。なぜならば、所与の検出器モデルに対し、パルス処理システムのエネルギ分解能及びエネルギキャリブレーションは、パルス処理パラメータの固定関数だからである。分析サイクルは、一般に、特定時間の経過後、又は或るスペクトル特性（例えば信号対ノイズ比）が達成されたとき、又は元素濃度の統計学的不確実性が所定レベルに到達したときに終了する。
【００３３】
上記本発明の実施形態は単なる例示を意図したものであり、当業者には多くの変更が明らかであろう。このような変更は特許請求の範囲の記載において定められた本発明の範囲内に包含されるものである。
【符号の説明】
【００３４】
１００  ＸＲＦ器械
１０２  Ｘ線源
１０４  蛍光放射線（Ｘ線ビーム）
１０６  シリコンドリフト検出ダイオード
１０８  蛍光Ｘ線
１１０  元素の原子
１１６  ＣＰＵ
【図１】
2012508379.tif 000003
【図２】
2012508379.tif 000004
【図３】
2012508379.tif 000005
【図４】
2012508379.tif 000006
【図５】
2012508379.tif 000007
【国際調査報告】
2012508379.tif 000008
2012508379.tif 000009